(57)【要約】      （修正有）【課題】本発明は、逆転防止装置の外周側にデッドスペースが形成されることを抑制し、小型化された魚釣用リールを提供する。【解決手段】本発明に係る魚釣用リールは、リール本体と、ハンドル操作により回転する駆動軸６と、リール本体と駆動軸６との間に介設された逆転防止装置２０と、リール本体に回動自在に支持され、逆転防止装置２０の外周側に配置された筒状の筒状部材３０と、を備え、逆転防止装置２０の切換制御部材２４と筒状部材３０とが係合し、筒状部材３０の回動操作により駆動軸６の逆転防止状態又は逆転許可状態に切り換わることを特徴とする。【選択図】図３
2018000067.tif 000002
【特許請求の範囲】
【請求項１】
リール本体と、
ハンドル操作により回転する駆動軸と、
前記リール本体と前記駆動軸との間に介設された逆転防止装置と、
前記リール本体に回動自在に支持され、前記逆転防止装置の外周側に配置された筒状の筒状部材と、
を備える魚釣用リールであって、
前記逆転防止装置の切換制御部材と前記筒状部材とが係合し、前記筒状部材の回動操作により前記駆動軸の逆転防止状態又は逆転許可状態に切り換わることを特徴とする魚釣用リール。
【請求項２】
前記筒状部材の少なくても一部は、操作可能なように外部に露出していることを特徴とする請求項１に記載の魚釣用リール。
【請求項３】
前記筒状部材には、端部から延びて外部に露出する操作部が設けられていることを特徴とする請求項１に記載の魚釣用リール。
【請求項４】
前記筒状部材の内周側には、シールが設けられていることを特徴とする請求項１から請求項３のいずれか１項に記載の魚釣用リール。
【請求項５】
前記逆転防止装置は、前記リール本体における筒状のボディ前部内に配置され、
前記ボディ前部の前開口部には、磁気シール機構が設けられ、
前記シール機構は、前記駆動軸との隙間をシールしていることを特徴とする請求項１から請求項４のいずれか１項に記載の魚釣用リール。
【発明の詳細な説明】
【技術分野】
【０００１】
本発明は、魚釣用リールに関する。
【背景技術】
【０００２】
従来から魚釣用リールは、リール本体と駆動軸との間に介設され、駆動軸の一方向への回転を許容しつつ他方への回転（以下「逆転」という）を防止する逆転防止装置を備える。このような逆転防止装置において、フッキング性の向上を図るため、転がり部材の楔作用を利用して駆動軸の逆転方向への遊びを小さくしたものが多い。
【０００３】
一般の逆転防止装置は、転がり部材を周方向に変位させて楔作用を発揮しないようにする切換制御部材（リティナ）を備えており、切換制御部材が回動すると、駆動軸の逆転防止状態と逆転許可状態とが切り替わるようになっている。
このような切換制御部材を回動操作するため、例えば魚釣用スピニングリールでは、リール本体の後部から前方に延び、リール本体に揺動自在に支持された切換えレバーを備える（下記特許文献参照）。
そして、切換えレバーの前部に形成されたカムと、切換制御部材において径方向外側に突出した部位（以下、突出部と称する）とが係合しており、切換えレバーが揺動すると、切換制御部材が回動するようになっている。
【先行技術文献】
【特許文献】
【０００４】
【特許文献１】特開平６−５８３４８号公報
【特許文献２】特開２００３−２７８８０３号公報
【特許文献３】特許３４９４５４６号公報
【発明の概要】
【発明が解決しようとする課題】
【０００５】
しかしながら、従来技術によれば、逆転防止装置及び切換えレバーを断面視した場合、係合部分（突出部とカムとが係合する部分）のみが径方向外側に突出した形状となっている。このため、逆転防止装置の外周側に略Ｃ状のデッドスペースが生じ、魚釣用リールが大型化した。
【０００６】
本発明は、このような課題を解決するために創作されたものであり、逆転防止装置の外周側にデッドスペースが形成されることを抑制し、小型化された魚釣用リールを提供することを課題とする。
【課題を解決するための手段】
【０００７】
前記課題を解決するため、本発明に係る魚釣用リールは、リール本体と、ハンドル操作により回転する駆動軸と、前記リール本体と前記駆動軸との間に介設された逆転防止装置と、前記リール本体に回動自在に支持され、前記逆転防止装置の外周側に配置された筒状の筒状部材と、を備える魚釣用リールであって、前記逆転防止装置の切換制御部材と前記筒状部材とが係合し、前記筒状部材の回動操作により前記駆動軸の逆転防止状態又は逆転許可状態に切り換わることを特徴とする。
【０００８】
前記発明によれば、筒状部材と切換制御部材とが係合するため、筒状部材の回動により逆転防止状態と逆転許可状態との切換えを行うことができる。言い換えると、従来使用してきた切換えレバーが不要となり、逆転防止装置の外周側にデットスペースが生じない。よって、魚釣用リールの小型化が図れる。
また、前記発明によれば、筒状部材が軸方向に長く形成されて逆転防止装置の外周側を覆う場合、逆転防止装置内に海水や砂塵等が侵入し難い。このため、逆転防止装置による塩ガミ等が抑制され、長期に亘って逆転防止装置の性能維持を図れる。
なお、従来の逆転防止装置によれば、逆転防止装置及び切換えレバーの係合部分のみが径方向外側に突出し、衝突等により係合部のみに荷重が作用し易い形状になっている。
しかしながら、前記発明によれば、筒状部材が逆転防止装置の外周を囲んでおり、従来のように係合部分のみが突出するといった形状ではない。このため、係合部分のみに荷重が作用して破損するというおそれを低減できる。
【０００９】
また、前記発明において、前記筒状部材の少なくても一部は、操作可能なように外部に露出していることが好ましい。
【００１０】
前記構成によれば、操作用のつまみ等を形成しなくてもよいため、筒状部材の形状が簡易となり、製造工数の低減を図れる。
【００１１】
または、前記発明において、前記筒状部材には、端部から延びて外部に露出する操作部が設けられていることが好ましい。
【００１２】
前記構成によれば、筒状部材の外周側を覆うロータのスカート部の形状を変更しなくても、筒状部材を外部に露出することができる。つまり、他の部品の設計変更を要求しないため、汎用性に優れる。
【００１３】
また、前記発明において、前記筒状部材の内周側には、シールが設けられていることが好ましい。
また、前記発明において、前記逆転防止装置は、前記リール本体における筒状のボディ前部内に配置され、前記ボディ前部の前開口部には、磁気シール機構が設けられ、前記シール機構は、前記駆動軸との隙間をシールしていることが好ましい。
【００１４】
前記構成によれば、逆転防止装置内に、海水や砂塵等が侵入する可能性をさらに低減できる。
【発明の効果】
【００１５】
以上、転防止装置の外周側にデッドスペースが形成されることを抑制し、小型化された魚釣用リールを提供することができる。
【図面の簡単な説明】
【００１６】
【図１】本実施形態の魚釣用リールとしての魚釣用スピニングリールの分解した斜視図である。
【図２】ボディ前部と、ボディ前部に組みつけられた部品を分解した斜視図である。
【図３】ボディ前部の断面図である。
【図４】ボディ前部において軸線から第３切り欠きに向かって切った断面図である。
【図５】図３のＶ−Ｖ線矢視断面図である。
【発明を実施するための形態】
【００１７】
本発明の実施形態を適用した魚釣用スピニングリールについて、適宜図面を参照しながら説明する。実施形態の説明において、「上下」、「前後」並びに「左右」を言うときは、図１に示した方向を基準とする。
【００１８】
（魚釣用スピニングリール）
図１に示すように、魚釣用スピニングリール１００は、駆動軸である駆動軸筒６、スプール軸７が前方へ突出するように組み付けられたリール本体１と、駆動軸筒６の前部に取り付けられ軸線Ｏ回りに回転するロータ１０１と、スプール軸７の前部７ａに取り付けられて軸線Ｏに沿って往復動するスプール（不図示）と、を備える。
【００１９】
（リール本体）
リール本体１は、ハンドル５が取り付けられたボディ２と、ボディ２の上部から上方に延び、釣竿（不図示）に装着される竿取付部３ａを先端に有する脚部３と、ボディ２の前側に位置し駆動軸筒６及びスプール軸７が貫通する筒状のボディ前部４と、を備える。
【００２０】
（ボディ）
特に図示しないが、ボディ２内には、ハンドル５の巻き取り操作により駆動軸筒６とスプール軸７を駆動させるための構成として、ハンドル５と連結するハンドル軸と、ハンドル軸と連結するドライブギヤ及び歯車と、歯車に噛合する公知のスプール往復動装置と、が格納されている。
ドライブギヤは、駆動軸筒６のピニオン８（図３参照）が噛合し、ハンドル５の巻き取り操作により駆動軸筒６が軸線Ｏ周りに回転する。
一方で、スプール往復動装置には、スプール軸７の後端部が取り付けられ、ハンドル５の巻き取り操作によりスプール軸７が軸線Ｏに沿って往復動する。
そのほか、ボディ２内には、駆動軸筒６の後端部を回転自在に支持するための後部軸受２ａが設けられている（図３参照）。
【００２１】
（ボディ前部）
図２に示すように、ボディ前部４は、軸線Ｏを中心とする略円筒状に形成されている。また、ボディ前部４は、前部の方が後部よりも小径に形成されている。以下、ボディ前部４の後側を大径部１０と称し、前側を小径部１１と称する。
ボディ前部４（大径部１０，小径部１１）には、逆転防止装置２０、操作リング３０、ベール反転機構の復帰衝接部４０、回動位置保持具５０、磁気シール機構６０、前シール７０、後シール７１が組み付けられている。以下、ボディ前部４（大径部１０，小径部１１）と各部品との詳細について説明する。
【００２２】
（大径部）
図３に示すように、大径部１０の外周面には、周方向に延びる周溝１２が形成されている。大径部１０の内周面には、駆動軸筒６の前後方向中央部を支持するための中間軸受１３が嵌め込まれている。
なお、中間軸受１３の外輪がリング部材１４に当接し、中間軸受１３が大径部１０から脱落しないようになっている。
また、図２に示すように、リング部材１４のフランジ部１４ａが図示しないボルトにより締め付けられ、リング部材１４が固定されている。
【００２３】
（小径部）
小径部１１は、逆転防止装置２０を格納するための部位である（図３参照）。
図２に示すように、小径部１１には、３つの切り欠き（第１切り欠き１５ａ〜第３切り欠き１５ｂ）が形成されている。
第１切り欠き１５ａ，第２切り欠き１５ｂは、リング部材１４のフランジ部１４ａを配置させるためのものである。第１切り欠き１５ａは、小径部１１の左上側に設けられ、第２切り欠き１５ｂは、小径部１１の右下側に設けられている。
第３切欠き１５ｃは、逆転防止装置２０の後述する突出部２７を小径部１１の外周側に配置するためのものであり（図１、図４参照）、小径部１１の右上側に設けられている。
そのほか、小径部１１の外周側には、前端面に雌ねじ部が形成されたボルト固定部１６が２つ形成されている。
【００２４】
（逆転防止装置）
逆転防止装置２０は、駆動軸筒６の一方向への回転を許容しつつ他方への回転（以下「逆転」という）を防止する公知の装置である。
図３に示すように、逆転防止装置２０は、駆動軸筒６の外周側に嵌合されて回り止め固定された内輪２１と、小径部１１内に挿入されて回り止め固定された外輪２２と、内輪２１と外輪２２との間に配置された複数のローラ２３と、リティナ（切換制御部材）２４と、を備える。
【００２５】
図４に示すように、リティナ２４は、環状を呈し複数のローラ２３の後方に配置された環状部２５と、環状部２５から各ローラ２３間に延出する複数の延出部２６と、環状部２５の外周面から径方向外側に突出する突出部２７と、を備える。
【００２６】
そして、突出部２７が周方向に変位（移動）すると、各延出部２６に押圧された各ローラ２３が周方向に変位する。
この結果、ローラ２３が内輪２１と外輪２２との間で楔作用を発揮して内輪２１（駆動軸筒６）の逆転が防止されたり、又はローラ２３が内輪２１と外輪２２との間で楔作用を発揮せずに内輪２１（駆動軸筒６）の逆転が許可されたりする。
【００２７】
突出部２７は、小径部１１の第３切り欠き１５ｃを通過し、小径部１１よりも径方向外側に延出している。なお、第３切り欠き１５ｃの幅（周方向の長さ）は幅広に形成され、突出部２７が周方向へ変位可能になっている。
さらに、突出部２７には、前後方向に貫通する長円形状の円孔２８が形成されている（図２参照）。
【００２８】
（操作リング）
図３に示すように、操作リング３０は、ボディ前部４（大径部１０，小径部１１）の外周側を囲む円筒状部材である。このため、ボディ前部４が操作リング３０に覆われ、小径部１１内の逆転防止装置２０に海水等が付着し難くなっている。なお、操作リング３０の外周側には、ロータ１０１のスカート部１０４が配置されている。
【００２９】
操作リング３０は、内周面が部分的にボディ前部４の外周面に当接し、ボディ前部４に対して周方向に摺動自在に組み付けられている。
図４に示すように、操作リング３０の内周面において小径部１１の第３切り欠き１５ｃに対向する部位には、リティナ２４の突出部２７を収容するための凹み３１と、円柱状を呈し突出部２７の円孔２８に挿入されて突出部２７と周方向に係合する係合部３２と、が形成されている。
このため、操作リング３０とリティナ２４とが同方向に回動するようなっている。つまり、操作リング３０を回動操作することで、逆転防止装置２０の逆転防止状態と逆転許可状態との切り替えを行うことができる。
【００３０】
図３に示すように、操作リング３０の後端部の下側には、後方に延びてロータ１０１のスカート部１０４から露出する操作ツマミ３３が形成されている。このため、釣者は、操作ツマミ３３を把持して周方向に移動することで（図１の矢印Ａ参照）、操作リング３０を回動することができる。
【００３１】
（復帰衝接部）
図３に示すように、ベール反転機構の復帰衝接部４０は、操作リング３０の後端部の下側に設けられている。
ベール反転機構の復帰衝接部４０は、ベール１０２（図１参照）が釣糸放出位置にある状態でロータ１０１が巻き取り方向に回転した場合、アーム１０３（図１参照）の内周側に設けられた復帰用当接部材（不図示）に接触し、ベール１０２を反転（釣糸巻取位置に復帰）させるための部材である。なお、図１に図示されるベール１０２は、釣糸巻取位置の状態である。
【００３２】
図５に示すように、復帰衝接部４０は、円弧状を呈し復帰用当接部材（不図示）に接触する本体部４１と、本体部４１の内周面から径方向内側に延出し、ボディ前部４（大径部１０）の取り付け孔１７、１８に差し込まれた第１脚部４２、第２脚部４３と、を備える。
【００３３】
なお、操作リング３０には、第１脚部４２を貫通させるための第１脚部用貫通孔３４と、第２脚部４３を貫通させるための切り欠き３５と、が形成されている。
また、第１脚部用貫通孔３４と切り欠き３５とのそれぞれは、周方向に幅広に形成され、操作リング３０の回動の際、第１脚部４２、第２脚部４３が干渉しないようになっている。
また、図３に示すように、復帰衝接部４０の第１脚部４２が第１脚部用貫通孔３４を貫通しているため、操作リング３０が第１脚部４２に対して前後方向に係合し、操作リング３０がボディ前部４から脱落しない。
【００３４】
そのほか、操作リング３０の後端部の上側には、径方向に貫通する上部貫通孔３６が形成されている。そして、上部貫通孔３６内には、ボディ前部４の雌ねじ部１９に螺合する抜け止め部材４５が配置されている。
ここで、抜け止め部材４５は、上部貫通孔３６の内面に当接（摺動）している。このため、操作リング３０が前後方向にがたつき難くなっている。
【００３５】
（回動位置保持具）
図３に示すように、回動位置保持具５０は、操作リング３０の内周面に形成され周方向に並ぶ２つの凹部３８（図３において一つの凹部３８のみ図示）に入り込み、操作リング３０の周方向の位置を逆転防止状態又は逆転許可状態に保持するためのものである。
本実施形態の回動位置保持具５０は、小径部１１の外周側に形成された孔部１１ａに嵌合する筒状の筐体５１と、筐体５１内に収容された圧縮コイルばね５２と、圧縮コイルばね５３に前方に常時付勢されたピン５３と、を備える。
そして、操作リング３０が回動して逆転防止状態又は逆転許可状態にある場合、ピン５３が操作リング３０の２つの凹部３８のうちいずれかに入り込み、操作リング３０が回動を規制される。
【００３６】
図３に示すように、磁気シール機構６０は、円筒状の永久磁石６３と、リング状を対し永久磁石６３の両端面側に配置された一対の磁性板６４，６４と、が一体に形成されたリング状の部品である。
磁気シール機構６０は、小径部１１の前端面に当接した状態で配置され、小径部１１の前開口部１１ｂを閉塞している。
なお、図２に示すように、磁気シール機構６０（磁性板６４）には、径方向外側に突出する一対のフランジ部６１が形成されている。そして、フランジ部６１が、小径部１１のボルト固定部１６に螺合するボルト（不図示）に締め付けられることで、磁気シール機構６０が小径部１１に固定されている。
【００３７】
図４に示すように、磁気シール機構６０と駆動軸筒６との間に隙間Ｓが形成され、その隙間Ｓに磁性流体（不図示）が充填されている。
磁気シール機構６０は、磁性流体を保持するため、永久磁石６３によって隙間Ｓに磁気回路を形成している。このため、磁性流体の流出が抑制され、磁気シール機構６０と駆動軸筒６との間（隙間Ｓ）のシール性が極めて高い。
【００３８】
前シール７０及び後シール７１は、環状のシール部材である。
前シール７０は、磁気シール機構６０に形成された周溝６２に嵌め込まれ、磁気シール機構６０と操作リング３０との間をシールしている。
後シール７１は、大径部１０の周溝１２に嵌め込まれ、大径部１０と操作リング３０との間をシールしている。
この前シール７０、後シール７１により、操作リング３０と小径部１１との間に海水等が浸入し難くなる。よって、第１切り欠き１５ａ〜第３切り欠き１５ｃを介して、小径部１１内の逆転防止装置２０に海水等が付着することが防止される。
【００３９】
以上、実施形態によれば、逆転防止装置２０の外周側を囲む操作リング３０が、逆転防止状態と逆転許可状態との切換えを行う操作部材を構成し、従来使用してきた切換えレバーが不要となる。
このため、従来、逆転防止装置２０の外周側に形成されていた略Ｃ字状のデッドスペースが本実施形態の魚釣用スピニングリール１００では形成されていない。
よって、ボディ前部４を覆うカバー部材（操作リング３０）や、ロータ１０１のスカート部１０４を小径することができ、魚釣用スピニングリール１００の小型化を図ることができる。
【００４０】
また、実施形態によれば、逆転防止装置２０と操作リング３０との係合部分（突出部２７と係合部３２）を、操作リング３０が囲んでいるため、係合部分のみが小径部１１から突出している、といった形状になっていない。つまり、係合部分のみに荷重が作用して破損する、ということを回避することができる。
【００４１】
以上、実施形態について説明したが、本発明は、これに限定されない。
例えば、実施形態の操作リング３０は、ロータ１０１のスカート部１０４に覆われているため、操作ツマミ３３を形成することで、操作リング３０を操作可能にしているが、操作リング３０をスカート部１０４から露出するように構成してもよい。
このような変形例によれば、操作リング３０に操作ツマミ３３を形成する必要がない。よって、操作リング３０の形状が簡易となり、製造工数の低減を図れる。
【００４２】
また、実施形態において、リティナ（切換制御部材）２４と操作リング（筒状部材）３０とを周方向に係合させるための構成として、リティナ２４の方に円孔２８が形成された突出部２７を形成し、操作リング３０の方に係合部３２を形成しているが、本発明はこれに限定されない。
たとえば、操作リング３０の方に突出部２７を形成し、リティナ２４の方に係合部３２を形成してもよい。
または、リティナ２４（環状部２５）の外周面に径方向内側に窪む凹部を形成し、操作リング３０の内周面に凹部に入り込む凸部を形成してもよい。このような変形例によっても、操作リング３０が回動すると、凸部が凹部の内面を周方向に押圧し、リティナ２４を回動させることができる。
【００４３】
また、実施形態の操作リング３０は、前後（軸線Ｏ）方向に長く、小径部１１の外周側を覆う形状となっているが、本発明はこれに限定されない。つまり、本発明の筒状部材（操作リング３０）は、突出部２７に係合できればよいため、前後（軸線Ｏ）方向に短く形成されていてもよい。
そのほか、本発明は、魚釣用スピニングリール以外の魚釣用リールに適用してもよい。
【符号の説明】
【００４４】
１００  魚釣用スピニングリール（魚釣用リール）
１      リール本体
２      ボディ
４      ボディ前部
６      駆動軸筒（駆動軸）
７      スプール軸
１０    大径部
１１    小径部
２０    逆転防止装置
２１    内輪
２２    外輪
２３    ローラ
２４    リティナ（切換制御部材）
２５    環状部
２６    延出部
２７    突出部
２８    円孔
３０    操作リング（筒状部材）
３２    係合部
３３    操作ツマミ
４０    復帰衝接部
５０    回動位置保持具
６０    磁気シール機構
７０    前シール
７１    後シール
【図１】
2018000067.tif 000003
【図２】
2018000067.tif 000004
【図３】
2018000067.tif 000005
【図４】
2018000067.tif 000006
【図５】
2018000067.tif 000007